(57)【要約】【課題】綿棒に触れることなく簡単容易にして且つ衛生的にこれを取り出す。【解決手段】上方に開口部1aを有すると共に、多数の綿棒Ｍを直立収容する容器本体１と、該容器本体１の開口部1aを開閉する蓋体２とから成り、容器本体１には蓋体２の開閉に応じ前記開口部1aから綿棒Ｍ上方部を出没させる昇降板３を上方付勢する様に内装する。【選択図】図２
2006001564.tif 000002
【特許請求の範囲】
【請求項１】
上方に開口部を有すると共に、多数の綿棒を直立収容する容器本体と、該容器本体の開
口部を開閉する蓋体とから成り、容器本体には蓋体の開閉に応じ前記開口部から綿棒上方
部を出没させる昇降板を上方付勢する様に内装したことを特徴とする綿棒容器。
【発明の詳細な説明】
【技術分野】
【０００１】
本発明は、多数の綿棒を直立収容する綿棒容器に関する。
【背景技術】
【０００２】
従来、この種の容器は、特許文献１に開示される様に、上方に開口部を有すると共に、
多数の綿棒を直立収容する容器本体と、該容器本体の開口部を開閉する蓋体とから成り、
多数の綿棒を収容した容器本体の内底に綿棒下端を支持する台紙を配置し、該台紙中央か
らつまみ舌片を上方延出している。
そして、使用時には蓋体を取り外してつまみ舌片を引上げることにより、上記台紙上に
支持した綿棒を浮上させてその上方を容器開口部から突き出させ、綿棒を取り出す様にし
ている。
【特許文献１】実開平５−５４３６８号公報
【発明の開示】
【発明が解決しようとする課題】
【０００３】
しかしながら、上記容器は綿棒全長より若干高く形成され、一方つまみ片は綿棒全長よ
りもかなり長いので、蓋体を閉じた状態では、つまみ舌片上端のつまみ部は、容器内に折
り曲げられた状態で収容されている。
従って、綿棒を取り出すに際しては、蓋体を取り外した後、折れ曲がった上記つまみ部
を起こして引き上げる必要があるため、面倒であると共に、つまみ部を起こす時にその周
囲の綿棒上端の綿花に指先が触れてしまうので衛生的でないといった課題を有している。
【課題を解決するための手段】
【０００４】
本発明は、上方に開口部を有すると共に、多数の綿棒を直立収容する容器本体と、該容
器本体の開口部を開閉する蓋体とから成り、容器本体には蓋体の開閉に応じ前記開口部か
ら綿棒上方部を出没させる昇降板を上方付勢する様に内装した綿棒容器を提供することに
より、上記課題を解決する。
【発明の効果】
【０００５】
要するに本発明によれば、蓋体を単に開けるだけで容器本体内で上方付勢された昇降板
が自動的に上昇して綿棒上方部が容器本体の開口部より突出するので、綿棒に触れること
なく簡単容易にして且つ衛生的にこれを取り出すことができ、又綿棒の取り出し後は、蓋
体を閉じさえすれば、綿棒を昇降板と共に容器本体内に収容できるので、蓋体開放時と同
様に綿棒に触れずに残存する未使用の綿棒を清潔なままの状態で再収容できる。
又、蓋体は容器本体を開閉さえできれば良いので、容器本体に着脱自在に設けた着脱形
式、又は容器本体に回動自在に取付けたヒンジ形式のいずれのタイプにも適用でき、よっ
て綿棒容器の形式を多様化でき、需要者は好みのタイプの綿棒容器を選択できる等その実
用的効果甚だ大である。
【発明を実施するための最良の形態】
【０００６】
以下本発明の実施の形態としての実施例を図面に基づいて説明する。
図１、２に示す綿棒容器は、透明なプラスチック製にて形成され、上方に開口部1aを有
すると共に、多数の綿棒Ｍを直立収容する有底筒状の容器本体１と、該容器本体１の開口
部1aを開閉する蓋体２とから主に構成されている。
容器本体１には、蓋体２の開閉に応じその開口部1aから綿棒Ｍ上方部を出没させる昇降
板３を上方付勢する様に内装している。
昇降板３は、容器本体１の内底部1bに略対応した円形板状に形成され、その外周縁下部
に円環状の垂下壁3aを突設し、該垂下壁3aに囲繞される昇降板３の下面部3bと内底部1b間
にステンレス又はプラスチック製等から成るコイル状のバネ材４を介装し、該バネ材４に
より昇降板３は上方付勢される。
尚、容器本体１は、バネ材４を最収縮した状態において、昇降板３上に配置した綿棒Ｍ
全長が収容される高さを有している。
【０００７】
蓋体２は、円形状の天板部2aの外周縁下部に容器本体１の開口部1a外周を外嵌する周壁
2bを突設しており、ロック手段５より容器本体１を閉塞保持する様に成している。
ロック手段５は、容器本体１の開口部1a外周縁に設けた突条６と、該突条６に係合する
様に蓋体２の周壁2b内周に設けた凹条７とから成る。
【０００８】
上記では蓋体２を容器本体１に着脱自在に設けた着脱形式の綿棒容器を示したが、綿棒
容器の他例を図３、４に基づき説明する。
尚、この他例について上記と同一又は相当する部分には同じ記号を付し、説明は省略す
る。
この綿棒容器は、蓋体２を容器本体１に回動自在に取付けたヒンジ形式のものであって
、容器本体１の背面部は上下に渡って所定幅を有する垂直面状に形成され、開口部1a端面
は、背面部から正面部に渡り前方降下状に傾斜形成されると共に、正面部ではかかる傾斜
に連続して下方凹状に陥没形成されている。
容器本体１の正面部において、下方凹状に形成された陥没部８の周囲は容器本体１の肉
厚の半分程度の薄肉に形成され、かかる薄肉部位を当止め部９と成している。
【０００９】
蓋体２は、その天板部2aを容器本体１の平面視形状に略合致させると共に、周壁2bの下
端は容器本体１の開口部1a端面に対応する様に背面部から正面部に渡り前方降下状に傾斜
形成されおり、蓋体２と容器本体１の背面部は、屈曲自在な薄肉状のヒンジ部10にて連結
している。
又、蓋体２の正面部下端には上記当止め部９に対応する舌状片11を突設しており、該舌
状片11は容器本体１の肉厚の半分程度の薄肉に形成され、蓋体２による開口部1aの閉塞状
態で舌状片11の周囲が当止め部９に当接して陥没部８を閉塞する様に成している。
ロック手段５は、当止め部９中央に外方突設したピン12と、該ピン12に係合する様に舌
状片９に貫設した嵌合孔13とから成る。
【００１０】
上記の様に構成された綿棒容器は、蓋体２による容器本体１の開口部1aの閉塞状態では
、ロック手段５によりその閉塞状態が保持されている。
即ち、図１、２に示す綿棒容器では、容器本体１の開口部1a外周縁を外嵌している蓋体
２の周壁2bの凹条７に開口部1a外周縁の突条６が係合することにより、又図３、４に示す
綿棒容器では、容器本体１の陥没部８を閉塞すると共に、その周囲の当止め部９に当接し
た舌状片11の嵌合孔13に当止め部９より突出したピン12が挿嵌係合されることにより、夫
々の閉塞状態が保持されている。
かかる状態において、蓋体２の天板2aは綿棒Ｍを介して昇降板３をバネ材４の付勢力に
抗して押圧し、この状態を保持している。
【００１１】
綿棒Ｍの取り出しは、ロック手段５による上記閉塞保持状態を解除して蓋体２を開放す
ることで成し得る。
図１、２の綿棒容器では、突条６と凹条７の係合を解除すると同時に蓋体２を容器本体
１から取り外すと、バネ材４の付勢力にて昇降板３が上昇して綿棒Ｍ上方部を開口部1aよ
り突出させ、その状態がバネ材４によって保持され、綿棒Ｍが取り出せる。
又、図３、４の綿棒容器では、例えば容器本体１の正面部下方（当止め部９近傍）を背
面部側へ押圧して当止め部９を一旦容器内側へ凹ませることにより、ピン12を蓋体２の舌
状片11の嵌合孔13から離脱させると、同時にバネ材４の付勢力により昇降板３が上昇して
綿棒Ｍ上方部を開口部1aより突出させると共に、綿棒Ｍの上端が蓋体２を押し上げ、その
後蓋体２を大きく開くことにより、バネ材４にて浮上保持されている昇降板３で支持され
た綿棒Ｍが取り出せる。
当然ながら、蓋体２がヒンジ形式の綿棒容器では、ピン12と嵌合孔13との係合を解除す
ると同時に蓋体２を大きく開くことによっても自動的に綿棒Ｍ上方部を開口部1aより突出
させられる。
又、綿棒Ｍを容器本体１内に再収容するには、蓋体２で綿棒Ｍ上端を押圧して閉じ、ロ
ック手段５にて蓋体２の閉塞状態を上記の様に保持することにより成される。
【図面の簡単な説明】
【００１２】
【図１】蓋体閉鎖時の綿棒容器の断面図である。
【図２】蓋体を取り外した状態の綿棒容器の断面図である。
【図３】綿棒容器の他例を示す正面図である。
【図４】蓋体を開放した状態の正面縦断面図である。
【符号の説明】
【００１３】
１  容器本体
1a  開口部
２  蓋体
３  昇降板
Ｍ  綿棒
【図１】
2006001564.tif 000003
【図２】
2006001564.tif 000004
【図３】
2006001564.tif 000005
【図４】
2006001564.tif 000006